(57)【要約】      （修正有）【課題】使用者の脇下に保冷剤または保温材を配置することができ、凍傷および低温やけどを防止することが可能であると共に、使用者が快適に感じる温度を所定時間維持して使用可能な下着を提供する。【解決手段】着用時に使用者の脇下に当接しうる脇下当接部１１ａ，１１ｂを有し、上記脇下当接部には、保冷剤または保温材を収容しうる収容部１３ａ，１３ｂが設けられた下着であって、上記収容部は、上記脇下当接部に固定されたポケット部１４ａ，１４ｂと、上記ポケット部内に着脱可能に配置された袋部１５ａ，１５ｂとにより構成されている。【選択図】図２
0003173991.tif 000002
【実用新案登録請求の範囲】
【請求項１】
着用時に使用者の脇下に当接しうる脇下当接部を有し、上記脇下当接部には、保冷剤または保温材を収容しうる収容部が設けられた下着であって、上記収容部は、上記脇下当接部に固定されたポケット部と、上記ポケット部内に着脱可能に配置された袋部とにより構成されていることを特徴とする下着。
【請求項２】
上記ポケット部および上記袋部は、ともに伸縮性を有する布材により形成されていることを特徴とする請求項１に記載の下着。
【請求項３】
上記ポケット部の上端部には、上記袋部を挿入しうる開口部が設けられていることを特徴とする請求項１または２に記載の下着。
【請求項４】
上記ポケット部と上記袋部とは略同一の形状に形成されていることを特徴とする請求項１〜３のいずれか１項に記載の下着。
【請求項５】
上記形状は、平面長方形であることを特徴とする請求項４に記載の下着。
【考案の詳細な説明】
【技術分野】
【０００１】
本考案は、下着に関し、特に、冷却材または保温材を収容可能な下着に関する。
【背景技術】
【０００２】
一般に、脇下には、表皮から比較的浅い箇所に太い動脈が通っており、血流量が多いことから、発熱時には、氷や保冷剤を使用して脇下を冷やすことにより、効果的に体温を下げられることが知られている。
【０００３】
また、気温が高い日には、脇下を冷却することにより、体全体を効果的に冷やすことが可能であり、汗を抑える効果が得られることが知られている。また、気温が低い日には、脇下を温めることにより、体全体を効果的に温められることが知られている。
【０００４】
従来、脇下に氷や保冷剤等の冷却材を収容可能な袋状冷却材収容部が設けられた下着として、特開２００５−２８１９４５号公報（特許文献１）に開示された乳幼児用下着が知られている。
【０００５】
上記特許文献１には、実施例１として、袋状冷却材収容部が下着に固定されて配置された乳幼児用下着が開示されている。
【０００６】
しかしながら、上記実施例１に開示された上記乳幼児用下着に冷却材を収容して使用した場合には、使用者と上記冷却材との間には、袋状冷却材収容部を構成する布材１枚が配置されるのみであることから、収容した冷却材の温度が過度に低い場合には、凍傷になる虞があった。
【０００７】
また、上記特許文献１には、実施例３として、袋状冷却材収容部を、下着と別体に製作し、上記袋状冷却材収容部を面ファスナーを用いて上記下着の脇下部分に着脱可能に固定することができる乳幼児用下着が開示されている。
【０００８】
上記実施例３に開示された上記乳幼児用下着に冷却材を収容して使用した場合には、使用者と上記冷却材との間には、袋状冷却材収容部を構成する布材、および上記下着を構成する布材の合計２枚の布材が配置されることから、収容した冷却材の温度が過度に低い場合であっても、凍傷になる虞はない。
【０００９】
しかしながら、収容した冷却材の温度が凍傷の虞がなくなるまで上昇した場合であっても、使用者と上記冷却材との間には、上記の２枚の布材が配置され、使用者と上記冷却材との間に配置される布材を１枚に変更することはできないことから、使用者が快適に感じる温度を所定時間維持して使用することはできないという不具合があった。
【特許文献１】特開２００５−２８１９４５号公報
【考案の開示】
【考案が解決しようとする課題】
【００１０】
そこで、本考案の課題は、使用者の脇下に保冷剤または保温材を配置することができ、凍傷および低温やけどを防止することが可能であると共に、使用者が快適に感じる温度を所定時間維持して使用可能な下着を提供することにある。
【課題を解決するための手段】
【００１１】
上記課題を解決するため、請求項１の考案にかかる下着は、着用時に使用者の脇下に当接しうる脇下当接部を有し、上記脇下当接部には、保冷剤または保温材を収容しうる収容部が設けられた下着であって、上記収容部は、上記脇下当接部に固定されたポケット部と、上記ポケット部内に着脱可能に配置された袋部とにより構成されていることを特徴とする。
【００１２】
従って、請求項１の考案に係る下着は、着用時に使用者の脇下に当接しうる脇下当接部を有し、上記脇下当接部には、保冷剤または保温材を収容しうる収容部が設けられていることから、着用時に上記収容部に保冷剤または保温材を収容することにより、使用者の脇下に保冷剤または保温材を配置することができる。
【００１３】
また、上記収容部は、上記脇下当接部に固定されたポケット部と、上記ポケット部内に着脱可能に配置された袋部とにより構成されていることから、保冷剤または保温材を、上記袋部を介して上記ポケット部内に収容することができると共に、保冷剤または保温材を、上記袋部を介さず、上記ポケット部内に直接収容することができる。
【００１４】
請求項２の考案に係る下着は、上記ポケット部および上記袋部は、ともに伸縮性を有する布材により形成されていることを特徴とする。
【００１５】
したがって、上記ポケット部および上記袋部は、ともに伸縮性を有する布材により形成されていることから、伸縮性を有する上記ポケット部および上記袋部を形成することができる。
【００１６】
請求項３の考案に係る下着は、上記ポケット部の上端部には、上記袋部を挿入しうる開口部が設けられていることを特徴とする。
【００１７】
したがって、上記ポケット部の上端部には、上記袋部を挿入しうる開口部が設けられていることから、上記ポケット部の上端部に設けられた上記開口部から上記袋部を挿入し、上記袋部を上記ポケット部内に配置することができる。
【００１８】
請求項４の考案に係る下着は、上記ポケット部と上記袋部とは略同一の形状に形成されていることを特徴とする。
【００１９】
したがって、上記ポケット部と上記袋部とは略同一の形状に形成されていることから、上記ポケット部に上記袋部を確実に配置することができる。
【００２０】
請求項５の考案に係る下着は、上記形状は、平面長方形であることを特徴とする。
【００２１】
したがって、上記形状は、平面長方形であることから、上記ポケット部および上記袋部を共に平面長方形に形成することができる。
【考案の効果】
【００２２】
請求項１の考案にかかる下着は、着用時に上記収容部に保冷剤または保温材を収容することにより、使用者の脇下に保冷剤または保温材を配置することができる。また、保冷剤または保温材を、上記袋部を介して上記ポケット部内に収容することができると共に、保冷剤または保温材を、上記袋部を介さず、上記ポケット部に直接収容することができる。
【００２３】
したがって、請求項１の考案にかかる下着の上記収容部に保冷剤または保温材を収容する場合、使用開始時には、上記保冷剤または上記保温材を、上記袋部を介し上記ポケット部内に収容することにより、使用者と上記保冷剤または上記保温材との間には、上記袋部、および上記ポケット部が配置されることから、収容する保冷剤の温度が過度に低い場合であっても、凍傷を防止することができ、また、収容する保温材の温度が過度に高い場合であっても、低温やけどを防止することができる。
【００２４】
また、収容した保冷剤の温度が凍傷を起こす虞がない温度にまで上昇した後、または、収容した保温材の温度が低温やけどを起こす虞がない温度にまで下降した後、上記保冷剤または上記保温材を上記袋部から取り出し、上記保冷剤または上記保温材を、上記袋部を介さず、上記ポケット部内に直接収容することにより、使用者と上記保冷剤との間には、上記ポケット部のみを配置することができることから、使用者が快適に感じる温度を所定時間維持して使用することができる。
【００２５】
その結果、請求項１の考案にかかる下着は、使用者の脇下に保冷剤または保温材を配置することができ、凍傷および低温やけどを防止することが可能であると共に、使用者が快適に感じる温度を所定時間維持して使用可能である。
【００２６】
請求項２の考案に係る下着は、伸縮性を有する上記ポケット部および上記袋部を形成することができ、その結果、上記ポケット部および上記袋部には、多様な大きさの保冷剤または保温材を収容することができる。
【００２７】
請求項３の考案に係る下着は、上記ポケット部の上端部に設けられた上記開口部から上記袋部を挿入し、上記袋部を上記ポケット部内に配置することができることから、請求項３の考案に係る下着を着用した状態で、保冷剤または保温材を収容した上記袋部を上記ポケット部内に配置する場合であっても、上記開口部から上記袋部を挿入することにより、上記袋部を上記ポケット部内へ容易に配置することができる。
【００２８】
また、請求項３の考案に係る下着を着用した状態で、保冷剤または保温材を収容した上記袋部を上記ポケット部内から取り出す場合であっても、上記開口部から上記袋部を取り出すことができ、上記袋部を上記ポケット部内から容易に取り出すことができる。
【００２９】
請求項４の考案に係る下着は、上記ポケット部に上記袋部を確実に配置することができ、その結果、上記ポケット部に、保冷剤または保温材を収納した上記袋部を確実に収容することができる。
【００３０】
請求項５の考案に係る下着は、上記ポケット部および上記袋部を共に平面長方形に形成することができ、また、一般に、保冷剤および保温材は平面長方形に形成されている場合が多いことから、平面長方形に形成された保冷剤または保温材を確実に収容することができる。
【図面の簡単な説明】
【００３１】
【図１】本考案に係る下着の一実施の形態における下着を示す正面図である。
【図２】本考案に係る下着の一実施の形態における下着のポケット部に袋部を挿入する状態示す正面図である。
【図３】本考案に係る下着の一実施の形態における下着のポケット部に保冷剤を挿入する状態を示す正面図である。
【図４】本考案に係る下着の一実施の形態における下着の袋部に保冷剤を収容する状態を示す正面図である。
【考案を実施するための最良の形態】
【００３２】
以下、添付図面に示す実施の形態に基づき、本考案を詳細に説明する。
【００３３】
図１〜図３に示すように、本実施の形態に係る下着１０は、ブラジャーであり、着用時に使用者の脇下に当接しうる脇下当接部１１ａ、１１ｂを有し、上記脇下当接部１１ａ、１１ｂには、保冷剤１２ａ、１２ｂまたは保温材（図示せず）を収容しうる収容部１３ａ、１３ｂが設けられている。
【００３４】
図２に示すように、上記収容部１３ａ、１３ｂは、上記脇下当接部１１ａ、１１ｂに固定されたポケット部１４ａ、１４ｂと、上記ポケット部１４ａ、１４ｂ内に着脱可能に配置された袋部１５ａ、１５ｂとにより構成されている。
【００３５】
また、上記ポケット部１４ａ、１４ｂおよび上記袋部１５ａ、１５ｂは、ともに伸縮性を有する布材により形成されている。
【００３６】
図２に示すように、上記ポケット部１４ａ、１４ｂの上端部１６ａ、１６ｂには、上記袋部１５ａ、１５ｂを挿入しうる開口部１７ａ、１７ｂが設けられている。
【００３７】
また、図２に示すように、上記ポケット部１４ａ、１４ｂと上記袋部１５ａ、１５ｂは、ともに平面縦長長方形に形成されており、図４に示すように上記袋部１５ａ、１５ｂの長さ方向中央付近には、幅方向に沿って開口部１８ａ、１８ｂが設けられている。
【００３８】
以下、本実施の形態に係る下着１０の作用について説明する。
【００３９】
上記下着１０は、図１に示すように、着用時に使用者の脇下に当接しうる脇下当接部１１a、１１ｂを有し、上記脇下当接部１１a、１１ｂには、保冷剤１２a、１２ｂまたは保温材（図示せず）を収容しうる収容部１３a、１３ｂが設けられていることから、着用時に上記脇下当接部１１a、１１ｂに上記保冷剤１２a、１２ｂまたは上記保温材を収容することにより、使用者の脇下に上記保冷剤１２a、１２ｂまたは上記保温材を配置することができる。
【００４０】
図２に示すように、上記収容部１３a、１３ｂは、上記脇下当接部１１a、１１ｂに固定されたポケット部１４a、１４ｂと、上記ポケット部１４a、１４ｂ内に着脱可能に配置された袋部１５a、１５ｂとにより構成されていることから、上記保冷剤１２a、１２ｂまたは上記保温材を、上記袋部１５a、１５ｂを介して上記ポケット部１４a、１４ｂ内に収容することができる。
【００４１】
上記下着１０を使用する場合、使用開始時には、図４に示すように、上記保冷剤１２a、１２ｂまたは上記保温材を、上記袋部１５a、１５ｂの上記開口部１８ａ、１８ｂから挿入して上記袋部１５a、１５ｂ内にそれぞれ収容した後、図２に示すように、上記保冷剤１２a、１２ｂを収容した上記袋部１５a、１５ｂを上記ポケット部１４a、１４ｂ内に収容する。
【００４２】
したがって、使用者と上記保冷剤１２a、１２ｂまたは上記保温材との間には、上記袋部１５a、１５ｂを構成する布材、および上記ポケット部１４a、１４ｂを構成する布材の２枚の布材が配置されることから、収容する上記保冷剤１２a、１２ｂの温度が過度に低い場合であっても、凍傷を防止することができ、また、収容する保温材の温度が過度に高い場合であっても、低温やけどを防止することができる。
【００４３】
また、収容した上記保冷剤１２a、１２ｂの温度が凍傷を起こす虞がない温度にまで上昇した後、または、収容した上記保温材の温度が低温やけどを起こす虞がない温度にまで下降した後には、上記保冷剤１２a、１２ｂまたは上記保温材を上記袋部１５a、１５ｂから取り出し、図３に示すように、上記保冷剤１２a、１２ｂまたは上記保温材を、上記ポケット部１４a、１４ｂ内に直接収容する。
【００４４】
したがって、使用者と上記保冷剤１２a、１２ｂまたは上記保温材との間には、上記ポケット部１４a、１４ｂを構成する布材１枚のみを配置することができることから、使用者が快適に感じる温度を所定時間維持して使用することができる。
【００４５】
また、上記下着１０は、上記ポケット部１４a、１４ｂおよび上記袋部１５a、１５ｂは、ともに伸縮性を有する布材により形成されていることから、上記ポケット部１４a、１４ｂおよび上記袋部１５a、１５ｂには、多様な大きさの上記保冷剤１２a、１２ｂまたは上記保温材を収容することができる。
【００４６】
図２に示すように、上記ポケット部１４a、１４ｂの上端部１６a、１６ｂには、上記袋部１５a、１５ｂを挿入しうる開口部１７a、１７ｂが設けられていることから、上記ポケット部１４a、１４ｂの上端部１６a、１６ｂに設けられた上記開口部１７a、１７ｂから上記袋部１５a、１５ｂを挿入し、上記袋部１５a、１５ｂを上記ポケット部１４a、１４ｂ内に配置することができる。
【００４７】
また、図３に示すように、上記開口部１７a、１７ｂから上記保冷剤１２a、１２ｂまたは上記保温材を挿入し、上記保冷剤１２a、１２ｂまたは上記保温材を上記ポケット部１４a、１４ｂ内に配置することができる。
【００４８】
図２に示すように、上記ポケット部１４a、１４ｂと上記袋部１５a、１５ｂはともに略同一の形状に形成されていることから、上記ポケット部１４a、１４ｂに上記袋部１５a、１５ｂを確実に配置することができる。
【００４９】
また、図２に示すように、上記ポケット部１４a、１４ｂと上記袋部１５a、１５ｂはともに平面長方形に形成されていることから、平面長方形に形成された上記保冷剤１２a、１２ｂまたは保温材を確実に収容することができる。
【産業上の利用可能性】
【００５０】
本考案は、下着に適用可能であり、産業上の利用可能性を有している。
【符号の説明】
【００５１】
１０    下着
１１ａ  脇下当接部
１１ｂ  脇下当接部
１２ａ  保冷剤
１２ｂ  保冷剤
１３ａ  収容部
１３ｂ  収容部
１４ａ  ポケット部
１４ｂ  ポケット部
１５ａ  袋部
１５ｂ  袋部
１６ａ  上端部
１６ｂ  上端部
１７ａ  開口部
１７ｂ  開口部
１８ａ  開口部
１８ｂ  開口部
【図１】
0003173991.tif 000003
【図２】
0003173991.tif 000004
【図３】
0003173991.tif 000005
【図４】
0003173991.tif 000006